(57)【要約】      （修正有）【課題】低誘電率樹脂組成物及び当該低誘電率樹脂組成物を応用したフィルム及び回路基板の提供。【解決手段】酸無水物を含む低誘電率樹脂と、エポキシ樹脂と、硬質の架橋剤と、軟質の架橋剤及び促進剤を含む低誘電率樹脂組成物。ここで、酸無水物を含む低誘電率樹脂は、無水マレイン酸グラフト変性樹脂及び酸無水物を含むポリイミド樹脂中の一種又は二種から選択され、酸無水物を含むポリイミド樹脂の比誘電率は３より小さい。当該低誘電率樹脂組成物は、酸無水物を含まない低誘電率樹脂と比較して、有機溶剤中に良好に溶解でき、その他の有機成分との相溶性に優れ、比誘電率が低い。さらに、当該低誘電率樹脂組成物を応用したフィルム、並びに回路基板を提供する。【選択図】図１
2018154823.tif 000002
【特許請求の範囲】
【請求項１】
酸無水物を含む低誘電率樹脂と、エポキシ樹脂と、硬質の架橋剤と、軟質の架橋剤及び促進剤を含む低誘電率樹脂組成物であって、前記酸無水物を含む低誘電率樹脂は、無水マレイン酸グラフト変性樹脂及び酸無水物を含むポリイミド樹脂中の一種又は二種から選択され、前記酸無水物を含むポリイミド樹脂の比誘電率は３より小さいことを特徴とする低誘電率樹脂組成物。
【請求項２】
前記低誘電率樹脂組成物において、酸無水物を含む低誘電率樹脂の含有量の範囲は１００重量部であり、前記エポキシ樹脂の含有量の範囲は５〜３０重量部であり、硬質の架橋剤の含有量は５〜５０重量部であり、軟質の架橋剤の含有量は５〜５０重量部であり、前記促進剤の含有量の範囲は０．１〜５重量部であることを特徴とする請求項１に記載の低誘電率樹脂組成物。
【請求項３】
前記低誘電率樹脂組成物の比誘電率は２．４より小さく、誘電損失は０．００４より小さいことを特徴とする請求項１に記載の低誘電率樹脂組成物。
【請求項４】
前記無水マレイン酸グラフト変性樹脂は、無水マレイン酸グラフト（スチレン−エチレン−ブチレン−スチレン）ブロックコポリマー、無水マレイン酸グラフト環状オレフィンコポリマー（ＣＯＣ−ｇ−ＭＡ）、無水マレイン酸変性グラフトエチレンプロピレンジエンゴム中の一種又は多種を含むことを特徴とする請求項１に記載の低誘電率樹脂組成物。
【請求項５】
前記硬質の架橋剤は、末端がビニル基と活性エステルを含むポリフェニレンエーテル樹脂であり、前記軟質の架橋剤は、無水マレイン酸液状ポリブタジエンであることを特徴とする請求項１に記載の低誘電率樹脂組成物。
【請求項６】
前記エポキシ樹脂は１，３−ビス（オキシラニルメチル）−５−（２−プロペニル）−１，３，５−トリアジン−２，４，６（１Ｈ，３Ｈ，５Ｈ）−トリオン、１−（オキシラニルメチル）−３，５−ジ−２−プロペニル−１，３，５−トリアジン２，４，６（１Ｈ，３Ｈ，５Ｈ）−トリオン、１，３，５−トリグリシジルイソシアヌレート、Ｎ，Ｎ，Ｎ’，Ｎ’−テトラキス（オキシラニルメチル）−１，３−キシリレンジアミン及び２，２’，２’’，２’’’−［１，２−エタンジイリデンテトラキス（４，１−フェニレンオキシメチレン）］テトラキスオキシラン中の一種又は多種を含むことを特徴とする請求項１に記載の低誘電率樹脂組成物。
【請求項７】
前記促進剤は、第３級アミン促進剤及び有機リン誘導体中の一種又は二種を含み、前記第３級アミン促進剤は、Ｎ，Ｎ−ジメチルベンジルアミン、Ｎ，Ｎ−ジメチルアニリン及びトリエチルアミンの一種又は多種を含み、前記有機リン誘導体は、アリルトリ−ｎ−ブチルホスホニウム  ブロミド（Ｃ１５Ｈ３２Ｐ．Ｂｒ）、ドデシルトリフェニルホスホニウム  ブロミド（Ｃ２４Ｈ５２ＢｒＰ）、エチルトリオクチルホスホニウム ブロミド（Ｃ２６Ｈ５６ＢｒＰ）、トリブチルヘキサデシルホスホニウム  ブロミド（Ｃ２８Ｈ６０ＢｒＰ）、メチルトリブチルホスホニウム  ヨージド（Ｃ１３Ｈ３０ＩＰ）、テトラエチルホスホニウムブロミド（Ｃ８Ｈ２０ＢｒＰ）、テトラエチルホスホニウムヒドロキシド（Ｃ８Ｈ２１ＯＰ）、テトラブチルホスホニウムブロミド（Ｃ１６Ｈ３６ＢｒＰ）、テトラ−ｎ−ブチルホスホニウムクロリド（Ｃ１６Ｈ３６ＣｌＰ）、テトラ−ｎ−ブチルホスホニウムＯ，Ｏ−ジエチルホスホロジチオエート（Ｃ２０Ｈ４６Ｏ２Ｐ２Ｓ２）、テトラ−ｎ−ブチルホスホニウムベンゾトリアゾレート（Ｃ２２Ｈ４０Ｎ３Ｐ）、トリス（２−カルボキシエチル）ホスフィン塩酸塩（Ｃ９Ｈ１６ＣｌＯ６Ｐ）中の一種又は多種を含むことを特徴とする請求項１に記載の低誘電率樹脂組成物。
【請求項８】
前記低誘電率樹脂組成物はさらに熱開始剤を含み、前記低誘電率樹脂組成物において、前記熱開始剤の含有量の範囲は０．１〜５重量部であることを特徴とする請求項１に記載の低誘電率樹脂組成物。
【請求項９】
樹脂層及び前記樹脂層の少なくとも一つの表面に結合される離型膜を含むフィルムであって、前記樹脂層の材料は、請求項１〜８の何れか一項に記載の低誘電率樹脂組成物であることを特徴とするフィルム。
【請求項１０】
回路基板及び前記回路基板の少なくとも一つの表面に結合された接着層を含む回路基板であって、前記接着層は請求項１〜８の何れか一項に記載の低誘電率樹脂組成物を焼いた後に製造されることを特徴とする回路基板。
【発明の詳細な説明】
【技術分野】
【０００１】
本発明は、低誘電率樹脂組成物及び当該低誘電率樹脂組成物を応用したフィルム及び回路基板に関するものである。
【背景技術】
【０００２】
ビッグデータの時代において、電子製品の情報処理は絶えず高周波の信号伝送及び高速デジタル化へと発展している。電子製品において、高周波信号を伝送する条件下で信号伝送の品質を保証する場合、信号の反射、散乱、減衰及び遅延等の現象を防止するために、回路基板の導電銅箔中の伝送線路とこの伝送線路に接続された電子素子との間はインピーダンス整合状態でなければならないが、回路基板において、導電線と接触する接着層の材料の比誘電率は、高周波伝送のインピーダンス整合に影響を与える要因の一つである。高周波信号伝送のインピーダンス整合を実現するために、接着層は通常比誘電率が比較的低い材料を選択する必要がある。
【０００３】
従来の回路基板に使用される接着層中の樹脂組成物は極性官能基を含むため、比誘電率及び誘電損失は大きくなる。例えば、エポキシ樹脂中のエポキシ基は開環後にヒドロキシ基を形成するため、比誘電率は３．４以上、誘電損失は０．０２以上まで達する。また、ポリイミドはポリイミド基を含むため、比誘電率は３．２以上、誘電損失は０．００７以上まで達する。液晶高分子の比誘電率は３．０より小さく、誘電損失も０．００２より小さい。しかし、液晶高分子により製造されたフィルムは、回路基板の製造過程において高温プレスの要求を満たすことができない。また、液晶高分子の価格は高い。前記従来の材料の比誘電率及び誘電損失を改善するために、低極性の樹脂材料を選択しなければならない。しかしながら、一般の低極性材料は極性分子と混合することができず、フィルムを製造するのに用いられる樹脂組成物を製造する過程において、低極性樹脂を極性溶媒又は極性添加剤等に混合しなければならない。
【発明の概要】
【発明が解決しようとする課題】
【０００４】
以上の問題点に鑑みて、本発明は、新たな低誘電率樹脂組成物を提供し、上記の問題を解決することを目的とする。
【０００５】
また、前記低誘電率樹脂組成物を応用したフィルムを提供する。
【０００６】
また、前記低誘電率樹脂組成物を応用して製造された回路基板を提供する。
【課題を解決するための手段】
【０００７】
本発明の低誘電率樹脂組成物は、酸無水物を含む低誘電率樹脂と、エポキシ樹脂と、硬質の架橋剤と、軟質の架橋剤及び促進剤を含み、前記酸無水物を含む低誘電率樹脂は、無水マレイン酸グラフト変性樹脂及び酸無水物を含むポリイミド樹脂中の一種又は二種から選択され、前記酸無水物を含むポリイミド樹脂の比誘電率は３より小さい。
【０００８】
低誘電率樹脂組成物を応用したフィルムであり、このフィルムは、樹脂層及びこの樹脂層の少なくとも一つの表面に結合された離型膜を含み、樹脂層の材質は低誘電率樹脂組成物である。
【０００９】
低誘電率樹脂組成物を応用して製造された回路基板は、本体及びこの本体の少なくとも一つの表面に結合された接着層を含み、この接着層は、低誘電率樹脂組成物が焼かれた後に製造される。
【発明の効果】
【００１０】
本発明の低誘電率樹脂組成物は酸無水物を含む低誘電率樹脂を採用し、この酸無水物を含む低誘電率樹脂は、酸無水物を含まない低誘電率樹脂と比較して有機溶剤中に良好に溶解でき、且つ酸無水物を含む低誘電率樹脂は、酸無水物を含まない低誘電率樹脂と比較してその他の有機成分との相溶性に優れ、比誘電率が低く、性能に優れた低誘電率樹脂組成物を取得するのを助ける。したがって、低誘電率樹脂組成物から製造された回路基板の接着層は、比較的低い比電誘率を有し、ひいては、当該回路基板に高周波及び高速デジタル化された信号伝送をもたせる。
【図面の簡単な説明】
【００１１】
【図１】本発明の実施形態に係るフィルムの断面図である。
【図２】本発明の実施形態に係る回路基板の断面図である。
【発明を実施するための形態】
【００１２】
以下本発明の具体的な実施方法を図面と合わせて説明する。
【００１３】
本発明の実施形態において低誘電率樹脂組成物を提供する。当該低誘電率樹脂組成物は主に回路基板の基材、接着層又はカバーフィルム中に用いられる。低誘電率樹脂組成物は酸無水物を含む低誘電率樹脂、エポキシ樹脂、硬質の架橋剤、軟質の架橋剤及び促進剤を含む。
【００１４】
低誘電率樹脂組成物において、酸無水物を含む低誘電率樹脂の含有量の範囲は１００重量部であり、このエポキシ樹脂の含有量の範囲は５〜５０重量部である。軟質の架橋剤の含有量は５〜５０重量部であり、促進剤の含有量の範囲は０．１〜５重量部である。
【００１５】
低誘電率樹脂組成物の比誘電率Ｄｋは２．４より小さい。また、誘電損失Ｄｆは０．００４より小さい。
【００１６】
酸無水物を含む低誘電率樹脂は、無水マレイン酸グラフト変性樹脂（ｍａｌｅｉｃ  ａｎｈｙｄｒｉｄｅ  ｇｒａｆｔ  ｍｏｄｉｆｉｅｄ  ｒｅｓｉｎ）及び酸無水物を含むポリイミド樹脂中の一種又は二種を含むがこれに限定されない。その中で、この無水マレイン酸グラフト変性樹脂は、無水マレイン酸グラフト（スチレン−エチレン−ブチレン−スチレン）ブロックコポリマー（ＳＥＢＳ−ｇ−ＭＡ）、無水マレイン酸グラフト環状オレフィンコポリマー（ＣＯＣ−ｇ−ＭＡ）、無水マレイン酸変性グラフトエチレンプロピレンジエンゴム（ＥＰＤＭ−ｇ−ＭＡ）中の一種又は多種を含むがこれに限定されない。酸無水物を含むポリイミド樹脂の比誘電率Ｄｋは３より小さい。酸無水物を含む低誘電率樹脂は、酸無水物を含まない低誘電率樹脂と比較して有機溶剤の中に溶けやすい。また、酸無水物を含む低誘電率樹脂は酸無水物を含まない低誘電率樹脂と比較して、その他の有機成分との相性がさらによく、比誘電率が低く、機能に優れた低誘電率樹脂組成物を得るのを助ける。
【００１７】
無水マレイン酸グラフト（スチレン−エチレン−ブチレン−スチレン）ブロックコポリマー（ＳＥＢＳ−ｇ−ＭＡ）の構造は以下の通りである。
【００１８】
2018154823.tif 000003
【００１９】
この中で、ｗ、ｘ、ｙ、ｚは何れも０より大きい自然数である。
【００２０】
無水マレイン酸グラフト環状オレフィンコポリマー（ＣＯＣ−ｇ−ＭＡ）の構造は以下の通りである。
【００２１】
2018154823.tif 000004
【００２２】
その中で、Ｘ、Ｙは何れも０より大きい自然数である。
【００２３】
無水マレイン酸変性グラフトエチレンプロピレンジエンゴム（ＥＰＤＭ−ｇ−ＭＡ）の構造は以下の通りである。
【００２４】
2018154823.tif 000005
【００２５】
その中で、ｐ、ｑは何れも０より大きい自然数である。
【００２６】
前記エポキシ樹脂は特殊エポキシ樹脂であり、この特殊エポキシ樹脂は二つ以上のエポキシ基を含むエポキシ樹脂又はビニル基を含むエポキシ樹脂である。当該エポキシ樹脂は１，３−ビス（オキシラニルメチル）−５−（２−プロペニル）−１，３，５−トリアジン−２，４，６（１Ｈ，３Ｈ，５Ｈ）−トリオン、１−（オキシラニルメチル）−３，５−ジ−２−プロペニル−１，３，５−トリアジン２，４，６（１Ｈ，３Ｈ，５Ｈ）−トリオン、１，３，５−トリグリシジルイソシアヌレート、Ｎ，Ｎ，Ｎ’，Ｎ’−テトラキス（オキシラニルメチル）−１，３−キシリレンジアミン及び２，２’，２’’，２’’’−［１，２−エタンジイリデンテトラキス（４，１−フェニレンオキシメチレン）］テトラキスオキシランの一種又は多種を含むがこれらに限定されない。
【００２７】
この中で、１，３−ビス（オキシラニルメチル）−５−（２−プロペニル）−１，３，５−トリアジン−２，４，６（１Ｈ，３Ｈ，５Ｈ）−トリオンの構造は以下の通りである。
【００２８】
2018154823.tif 000006
【００２９】
１−（オキシラニルメチル）−３，５−ジ−２−プロペニル−１，３，５−トリアジン２，４，６（１Ｈ，３Ｈ，５Ｈ）−トリオンの構造は以下の通りである。
【００３０】
2018154823.tif 000007
【００３１】
１，３，５−トリグリシジルイソシアヌレートの構造は以下の通りである。
【００３２】
2018154823.tif 000008
【００３３】
Ｎ，Ｎ，Ｎ’，Ｎ’−テトラキス（オキシラニルメチル）−１，３−キシリレンジアミンの構造は以下の通りである。
【００３４】
2018154823.tif 000009
【００３５】
２，２’，２’’，２’’’−［１，２−エタンジイリデンテトラキス（４，１−フェニレンオキシメチレン）］テトラキスオキシランの構造は以下の通りである。
【００３６】
2018154823.tif 000010
【００３７】
前記硬質の架橋剤は、末端がビニル基と活性エステルを含むポリフェニレンエーテル樹脂である。この末端のビニル基と活性エステルを含むポリフェニレンエーテル樹脂の分子量の範囲は１５００〜２５００ｇ／ｍｏｌである。当該硬質の架橋剤は、前記低誘電率樹脂組成物が形成した接着層の硬度を調整することができる。
【００３８】
前記軟質の架橋剤は、無水マレイン酸液状ポリブタジエン（ｍａｌｅｉｃ  ａｃｉｄ  ｌｉｑｕｉｄ  ｐｏｌｙｂｕｔａｄｉｅｎｅ）であってもよい。この無水マレイン酸液状ポリブタジエンの分子量の範囲は、２０００〜８０００ｇ／ｍｏｌであり、その構造は以下の通りである。
【００３９】
2018154823.tif 000011
【００４０】
この中で、ｘ１、ｙ１、ｚ１は何れも０の自然数より大きい。前記軟質の架橋剤は、低誘電率樹脂組成物が形成する接着層の柔軟度を調整することができる。
【００４１】
前記エポキシ樹脂中のエポキシ基は、酸無水物を含む低誘電率樹脂中の酸無水物と、硬質の架橋剤中の活性エステル基と、軟質の架橋剤中の酸無水物と架橋結合できるため、酸無水物を含む低誘電率樹脂、硬質の架橋剤及び軟質の架橋剤は結合されて、耐熱性が比較的高く、且つ結合密度も比較的高い低誘電率樹脂組成物を得ることができる。
【００４２】
前記促進剤は、エポキシと酸無水物を反応させる促進剤である。このエポキシと酸無水物を反応させる促進剤は、第３級アミン促進剤及び有機リン誘導体中の一種又は二種を含むがこれらに限定されない。
【００４３】
前記第３級アミン促進剤は、Ｎ，Ｎ−ジメチルベンジルアミン、Ｎ，Ｎ−ジメチルアニリン及びトリエチルアミンの一種又は多種を含むがこれらに限定されない。
【００４４】
前記有機リン誘導体は、アリルトリ−ｎ−ブチルホスホニウム  ブロミド（Ｃ１５Ｈ３２Ｐ．Ｂｒ）、ドデシルトリブチルホスホニウム  ブロミド（Ｃ２４Ｈ５２ＢｒＰ）、エチルトリオクチルホスホニウム ブロミド（Ｃ２６Ｈ５６ＢｒＰ）、トリブチルヘキサデシルホスホニウムブロミド（Ｃ２８Ｈ６０ＢｒＰ）、メチルトリブチルホスホニウムヨージド（Ｃ１３Ｈ３０ＩＰ）、テトラエチルホスホニウムブロミド（Ｃ８Ｈ２０ＢｒＰ）、テトラエチルホスホニウムヒドロキシド（Ｃ８Ｈ２１ＯＰ）、テトラブチルホスホニウムブロミド（Ｃ１６Ｈ３６ＢｒＰ）、テトラ−ｎ−ブチルホスホニウムクロリド（Ｃ１６Ｈ３６ＣｌＰ）、テトラ−ｎ−ブチルホスホニウムＯ，Ｏ−ジエチルホスホロジチオエート（Ｃ２０Ｈ４６Ｏ２Ｐ２Ｓ２）、テトラ−ｎ−ブチルホスホニウムベンゾトリアゾレート（Ｃ２２Ｈ４０Ｎ３Ｐ）、トリス（２−カルボキシエチル）ホスフィン塩酸塩（Ｃ９Ｈ１６ＣｌＯ６Ｐ）を含むがこれらに限定されない。
【００４５】
前記低誘電率樹脂組成物はさらに熱開始剤を含む。この低誘電率樹脂組成物において、当該熱開始剤の含有量の範囲は０．１〜５重量部である。
【００４６】
前記熱開始剤は示差走査熱量計ＤＳＣを利用して測定した発熱ピークが１００〜２００度範囲内の有機過酸化物である。この有機過酸化物は、ジアシルペルオキシド、ペルオキシケタール、過酸化カーボネート、ペルオキシエステル、ケトンペルオキシド、ジアルキルペルオキシド及びヒドロペルオキシド中の一種又は多種から選択される。この中で、ジアシルペルオキシドは、イソノナン酸ペルオキシド、カプリルパーオキサイド、ラウロイルペルオキシド、ｐ−クロロベンゾイルパーオキサイド及び３，５，５−トリメチルヘキサノイルパーオキサイド中の一種又は多種を含むがこれに限定されない。前記ペルオキシケタールは、２，２−ビス（４，４−ジ−ｔｅｒｔ−ブチルペルオキシシクロヘキシル）プロパンを含むがこれに限定されない。前記過酸化カーボネートは、ビス（３−メトキシブチル）エステル及びジシクロヘキシルペルオキシジカルボナート中の一種又は二種を含むがこれらに限定されない。前記ペルオキシエステルは、ｔｅｒｔ−ブチル  ペルオキシ安息香酸、アセチルｔｅｒｔ−ブチルヒドロペルオキシド、ｔｅｒｔ−ブチルパーオキシ−２−エチルヘキサン酸銀、ｔｅｒｔ−ブチルパーオキシイソブチレート、ｔｅｒｔ−ブチルペルオキシペンタン酸、ｔｅｒｔ−ブチルジペルオキシアジペート、クミルパーオキシネオデカノエート、ｔｅｒｔ−ブチルペルオキシ安息香酸、１，１，３，３−テトラメチルブチルペルオキシ−２−エチルヘキサン酸銀及び２，５−ジメチル−２，５−ビス（ベンゾイルペルオキシ）ヘキサンの内の一種又は多種を含むがこれらに限定されない。前記ケトンペルオキシドは、メチルエチルケトンペルオキシド及びシクロヘキシルヒドロペルオキシドの内の一種又は二種を含むがこれらに限定されない。前記ジアルキルペルオキシドは、ジ−ｔ−ブチルペルオキシド、ビス（１−メチル−１−フェネチル）ペルオキシド、ビス（ｔｅｒｔ−ブチルパーオキシイソプロピル）ベンゼン、１，１−ジ−（ｔｅｒｔ−ヘキシルパーオキシ）−３，３，５−トリメチルシクロヘキサン、ジ−ｔｅｒｔヘキシルペルオキシド、ビス（ｔｅｒｔ−ブチルパーオキシイソプロピル）ベンゼン中の一種又は多種を含むがこれらに限定されない。前記ヒドロペルオキシドは、クメンヒドロペルオキシド、ｔｅｒｔ−ブチルヒドロペルオキシド、過酸化水素ｐ−メンタン（ｈｙｄｒｏｇｅｎ  ｐｅｒｏｘｉｄｅ  ｐ−ｍｅｎｔｈａｎｅ）の内の一種又は多種を含むがこれらに限定されない。加熱する際、前記熱開始剤は分解して遊離基を生成し、この遊離基はビニル基と作用して開始反応を行う。
【００４７】
好ましくは、前記有機過酸化物は、ペルオキシエステル及びジアルキルペルオキシド中の一種又は二種から選択される。さらに好ましくは、この有機過酸化物は、ｔｅｒｔ−ブチルパーベンゾエート、１，１，３，３−テトラメチルブチルエステル及びビス（ｔｅｒｔ−ブチルパーオキシイソプロピル）ベンゼン中の一種又は多種から選択される。
【００４８】
これからわかるように、前記低誘電率樹脂組成物はさらに、低誘電率樹脂組成物に通常使用する潤滑剤、フィラー、難燃剤及びイオン捕捉剤等を含むことができる。
【００４９】
前記低誘電率樹脂組成物はさらに溶剤を含む。この低誘電率樹脂組成物中において、当該溶剤を加える量は、前記酸無水物を含む低誘電率樹脂、エポキシ樹脂、硬質の架橋剤、軟質の架橋剤、促進剤及び熱開始剤等を完全に溶かすことができれば、必要に応じて変更できる。当該溶剤は、通常樹脂組成物に使用されるベンゼン等であってもよい。
【００５０】
前記低誘電率樹脂組成物の製造方法は、酸無水物を含む低誘電率樹脂組、エポキシ樹脂、硬質の架橋剤、軟質の架橋剤、促進剤及び熱開始剤等を所定の比率に基づいて反応瓶の中に加え、反応瓶の中に適量の溶剤を加えて混合攪拌し、酸無水物を含む低誘電率樹脂、エポキシ樹脂、硬質の架橋剤、軟質の架橋剤、促進剤及び熱開始剤を溶剤中に溶かす。即ち、低誘電率樹脂組成物が生成される。
【００５１】
図１を参照すると、本発明はさらに前記低誘電率樹脂組成物により製造されたフィルム１００を提供する。このフィルム１００は、樹脂層２０及びこの樹脂層２０の少なくとも一つの表面に結合された離型膜１０を含む。当該樹脂層２０は前記低誘電率樹脂組成物が離型膜１０の表面に塗布された後に形成される。
【００５２】
図２を参照すると、本発明はさらにフィルム１００により製造された回路基板２００を提供する。この回路基板２００は、本体２０１及びこの本体２０１の少なくとも一つの表面に結合された接着層２０２を含む。この接着層２０２は、フィルム１００の樹脂層２０を本体２０１の表面に貼り合わせることにより、離型膜１０を除去し、再度焼くことで得られる。前記低誘電率樹脂組成物は、比較的低い比誘電率、誘電損失、比較的高い結合密度及び比較的高い耐熱性を有するため、製造された回路基板２００の接着層２０２も比較的低い比誘電率、誘電損失、比較的高い結合密度及び比較的高い耐熱性を有する。したがって、後続の通常の回路基板の半田の過程において、接着層２０２中の化学架橋のネットワーク構造による効果は維持されることができるので、回路基板の耐熱性に対する要求に適応できる。
【００５３】
以下、実施例により本発明に対して具体的に説明する。
【００５４】
＜実施例１＞
１０００ｍｌの反応瓶中に１００ｇのＣＯＣ−ｇ−ＭＡ、２０ｇの末端がビニル基と活性エステルを含むポリフェニレンエーテル樹脂（ＳＡＢＩＣ、型番ＳＡ９０００）、１５ｇの無水マレイン酸液状ポリブタジエン（Ｃｒａｙ  ｖａｌｌｙ  Ｒｉｃｏｎ、型番１３０ＭＡ１３）、５ｇの１，３−ビス（オキシラニルメチル）−５−（２−プロペニル）−１，３，５−トリアジン−２，４，６（１Ｈ，３Ｈ，５Ｈ）−トリオン、１ｇのｔｅｒｔ−ブチルイソプロピルフェニルペルオキシド、１ｇのテトラ−ｎ−ブチルホスホニウムＯ，Ｏ−ジエチルホスホロジチオエート、５６８ｇのベンゼンを順に加え、攪拌により溶解して低誘電率樹脂組成物を得る。
【００５５】
＜実施例２＞
１０００ｍｌの反応瓶中に１００ｇのＥＰＤＭ−ｇ−ＭＡ、２０ｇの末端がビニル基と活性エステルを含むポリフェニレンエーテル樹脂（ＳＡＢＩＣ、型番ＳＡ９０００）、１５ｇの無水マレイン酸液状ポリブタジエン（Ｃｒａｙ  ｖａｌｌｙ  Ｒｉｃｏｎ、型番１３０ＭＡ１３）、５ｇの１，３−ビス（オキシラニルメチル）−５−（２−プロペニル）−１，３，５−トリアジン−２，４，６（１Ｈ，３Ｈ，５Ｈ）−トリオン、１ｇのｔｅｒｔ−ブチルイソプロピルフェニルペルオキシド、１ｇのテトラ−ｎ−ブチルホスホニウムＯ，Ｏ−ジエチルホスホロジチオエート、５６８ｇのベンゼンを順に加え、攪拌により溶解して低誘電率樹脂組成物を得る。
【００５６】
＜実施例３＞
１０００ｍｌの反応瓶中に１００ｇの酸無水物を含むポリイミド樹脂、２０ｇの末端がビニル基と活性エステルを含むポリフェニレンエーテル樹脂（ＳＡＢＩＣ、型番ＳＡ９０００）、１５ｇの無水マレイン酸液状ポリブタジエン（Ｃｒａｙ  ｖａｌｌｙ  Ｒｉｃｏｎ、型番１３０ＭＡ１３）、５ｇの１，３−ビス（オキシラニルメチル）−５−（２−プロペニル）−１，３，５−トリアジン−２，４，６（１Ｈ，３Ｈ，５Ｈ）−トリオン、１ｇのｔｅｒｔ−ブチルイソプロピルフェニルペルオキシド、１ｇのテトラ−ｎ−ブチルホスホニウムＯ，Ｏ−ジエチルホスホロジチオエート、５６８ｇのベンゼンを順に加え、攪拌により溶解して低誘電率樹脂組成物を得る。
【００５７】
＜実施例４＞
１０００ｍｌの反応瓶中に１００ｇのＳＥＢＳ−ｇ−ＭＡ、２０ｇの末端がビニル基と活性エステルを含むポリフェニレンエーテル樹脂（ＳＡＢＩＣ、型番ＳＡ９０００）、１５ｇの無水マレイン酸液状ポリブタジエン（Ｃｒａｙ  ｖａｌｌｙ  Ｒｉｃｏｎ、型番１３０ＭＡ１３）、５ｇの１，３−ビス（オキシラニルメチル）−５−（２−プロペニル）−１，３，５−トリアジン−２，４，６（１Ｈ，３Ｈ，５Ｈ）−トリオン、１ｇのｔｅｒｔ−ブチルイソプロピルフェニルペルオキシド、１ｇのテトラ−ｎ−ブチルホスホニウムＯ，Ｏ−ジエチルホスホロジチオエート、５６８ｇのベンゼンを順に加え、攪拌により溶解して低誘電率樹脂組成物を得る。
【００５８】
＜実施例５＞
１０００ｍｌの反応瓶中に１００ｇのＳＥＢＳ−ｇ−ＭＡ、３０ｇの末端がビニル基と活性エステルを含むポリフェニレンエーテル樹脂（ＳＡＢＩＣ、型番ＳＡ９０００）、１５ｇの無水マレイン酸液状ポリブタジエン（Ｃｒａｙ  ｖａｌｌｙ  Ｒｉｃｏｎ、型番１３０ＭＡ１３）、５ｇの１，３−ビス（オキシラニルメチル）−５−（２−プロペニル）−１，３，５−トリアジン−２，４，６（１Ｈ，３Ｈ，５Ｈ）−トリオン、１ｇのｔｅｒｔ−ブチルイソプロピルフェニルペルオキシド、１ｇのテトラ−ｎ−ブチルホスホニウムＯ，Ｏ−ジエチルホスホロジチオエート、６０８ｇのベンゼンを順に加え、攪拌により溶解して低誘電率樹脂組成物を得る。
【００５９】
＜実施例６＞
１０００ｍｌの反応瓶中に１００ｇのＳＥＢＳ−ｇ−ＭＡ、２０ｇの末端がビニル基と活性エステルを含むポリフェニレンエーテル樹脂（ＳＡＢＩＣ、型番ＳＡ９０００）、３０ｇの無水マレイン酸液状ポリブタジエン（Ｃｒａｙ  ｖａｌｌｙ  Ｒｉｃｏｎ、型番１３０ＭＡ１３）、５ｇの１，３−ｂｉｓ（オキシラニルメチル）−５−（２−プロペニル）−１，３，５−トリアジン−２，４，６（１Ｈ，３Ｈ，５Ｈ）−トリオン、１ｇのｔｅｒｔ−ブチルイソプロピルフェニルペルオキシド、１ｇのテトラ−ｎ−ブチルホスホニウムＯ，Ｏ−ジエチルホスホロジチオエート、６２８ｇのベンゼンを順に加え、攪拌により溶解して低誘電率樹脂組成物を得る。
【００６０】
＜比較例１＞
１０００ｍｌの反応瓶中に１００ｇのＣＯＣ−ｇ−ＭＡ、４００ｇのベンゼンを順に加えて、攪拌により溶解して樹脂組成物を得る。
【００６１】
＜比較例２＞
１０００ｍｌの反応瓶中に１００ｇのＥＰＤＭＡ−ｇ−ＭＡ、４００ｇのベンゼンを順に加えて、攪拌により溶解して樹脂組成物を得る。
【００６２】
＜比較例３＞
１０００ｍｌの反応瓶中に１００ｇの酸無水物を含むポリイミド樹脂、４００ｇのベンゼンを順に加えて、攪拌により溶解して樹脂組成物を得る。
【００６３】
＜比較例４＞
１０００ｍｌの反応瓶中に１００ｇのＳＥＢＳ−ｇ−ＭＡ、４００ｇのベンゼンを順に加えて、攪拌により溶解して樹脂組成物を得る。
【００６４】
＜比較例５＞
１０００ｍｌの反応瓶中に１００ｇのエチレンプロピレンジエンゴム（ＥＰＤＭ）、２０ｇの末端がビニル基と活性エステルを含むポリフェニレンエーテル樹脂（ＳＡＢＩＣ、型番ＳＡ９０００）、１５ｇの無水マレイン酸液状ポリブタジエン（Ｃｒａｙ  ｖａｌｌｙ  Ｒｉｃｏｎ、型番１３０ＭＡ１３）、５ｇの１，３−ビス（オキシラニルメチル）−５−（２−プロペニル）−１，３，５−トリアジン−２，４，６（１Ｈ，３Ｈ，５Ｈ）−トリオン、１ｇのｔｅｒｔ−ブチルイソプロピルフェニルペルオキシド、１ｇのテトラ−ｎ−ブチルホスホニウムＯ，Ｏ−ジエチルホスホロジチオエート、５６８ｇのベンゼンを順に加え、攪拌により溶解して樹脂組成物を得る。
【００６５】
＜比較例６＞
１０００ｍｌの反応瓶中に１００ｇのＳＥＢＳ−ｇ−ＭＡ、６０ｇの末端がビニル基と活性エステルを含むポリフェニレンエーテル樹脂（ＳＡＢＩＣ、型番ＳＡ９０００）、１５ｇの無水マレイン酸液状ポリブタジエン（Ｃｒａｙ  ｖａｌｌｙ  Ｒｉｃｏｎ、型番１３０ＭＡ１３）、５ｇの１，３−ビス（オキシラニルメチル）−５−（２−プロペニル）−１，３，５−トリアジン−２，４，６（１Ｈ，３Ｈ，５Ｈ）−トリオン、１ｇのｔｅｒｔ−ブチルイソプロピルフェニルペルオキシド、１ｇのテトラ−ｎ−ブチルホスホニウムＯ，Ｏ−ジエチルホスホロジチオエート、７２８ｇのベンゼンを順に加え、攪拌により溶解して樹脂組成物を得る。
【００６６】
＜比較例７＞
１０００ｍｌの反応瓶中に１００ｇのＳＥＢＳ−ｇ−ＭＡ、２０ｇの末端がビニル基と活性エステルを含むポリフェニレンエーテル樹脂（ＳＡＢＩＣ、型番ＳＡ９０００）、６０ｇの無水マレイン酸液状ポリブタジエン（Ｃｒａｙ  ｖａｌｌｙ  Ｒｉｃｏｎ、型番１３０ＭＡ１３）、５ｇの１，３−ｂｉｓ（オキシラニルメチル）−５−（２−プロペニル）−１，３，５−トリアジン−２，４，６（１Ｈ，３Ｈ，５Ｈ）−トリオン、１ｇのｔｅｒｔ−ブチルイソプロピルフェニルペルオキシド、１ｇのテトラ−ｎ−ブチルホスホニウムＯ，Ｏ−ジエチルホスホロジチオエート、７４８ｇのベンゼンを順に加え、攪拌により溶解して樹脂組成物を得る。
【００６７】
実施例１〜６で製造された低誘電率樹脂組成物及び比較例１〜７で製造された樹脂組成物の比誘電率Ｄｋと誘電損失Ｄｆに対してそれぞれテストを行った。次いで、銅箔とポリイミド（ＰＩ）薄膜を使用して、銅箔とカバー層を備えた回路基板を製造する。実施例１〜６で製造された低誘電率樹脂組成物及び比較例１〜７で製造された樹脂組成物を使用して、それぞれフィルムを製造し、このフィルムを利用して回路基板の本体の表面に結合される接着層を製造する。次いで、当該接着層を備える回路基板に対して銅剥離強度テスト、ＰＩ剥離強度テスト、半田フロート耐熱性テスト及び弾性率テストを行った。その結果は表一の性能検出データを参照されたい。この中で、半田フロート耐熱性テストの条件が２６０度／１０秒以上の場合、錫は剥がれ落ちない。即ち、半田フロート耐熱性テストの結果は“通過”であり、回路基板は耐熱性の要求に達していることを表している。
【００６８】
＜表一＞
表一は、接着層の材質が実施例１〜６で製造された低誘電率樹脂組成物及び比較例１〜７で製造された樹脂組成物である回路基板の性能検出データである。
【００６９】
2018154823.tif 000012
2018154823.tif 000013
【００７０】
表一からわかるように、本発明の実施例１〜６中の低誘電率樹脂組成物の比誘電率Ｄｋ及び比較的低い誘電損失Ｄｆは、比較例１〜４中の樹脂組成物の比誘電率Ｄｋ及び比較的低い誘電損失Ｄｆと略同じである。本願の実施例１、４の低誘電率樹脂組成物から製造された回路基板の銅剥離強度及びＰＩ剥離強度は、何れも比較例１〜４中の樹脂組成物から製造された回路基板の銅剥離強度及びＰＩ剥離強度より強い。実施例２、５の低誘電率樹脂組成物から製造された回路基板の銅剥離強度は、比較例１〜４中の樹脂組成物から製造された回路基板の銅剥離強度より強く、且つ実施例２、５の低誘電率樹脂組成物から製造された回路基板のＰＩ剥離強度と、比較例１〜４中の樹組成物から製造された回路基板のＰＩ剥離強度は近い。実施例３、６の低誘電率樹脂組成物から製造された回路基板のＰＩ剥離強度は、比較例１〜４中の樹脂組成物から製造された回路基板のＰＩ剥離強度より強く、且つ実施例３、６の低誘電率樹脂組成物から製造された回路基板の銅剥離強度と比較例１〜４中の樹脂組成物から製造された回路基板の銅剥離強度は近い。実施例１〜６の低誘電率樹脂組成物から製造された回路基板の半田フロート耐熱性は明らかに比較例１〜４の樹脂組成物から製造された回路基板の半田フロート耐熱性より高い。比較例５の樹脂組成物は、ＥＰＤＭがその他の材料と互換できないため、液体樹脂組成物の溶液が層状化するのを引き起こし、関連機能を測定できない。比較例６の樹脂組成物から製造された接着層は破壊され、関連機能を測定できない。比較例７の樹脂組成物から製造された接着層の表面自身は粘着性を有し、関連機能を測定できない。以上からわかるように、本発明の低誘電率樹脂組成物は、比較的低い比誘電率及び誘電損失を有すると同時に、さらに、比較的高い銅剥離強度、ＰＩ剥離強度及び半田フロート耐熱性を有する。
【００７１】
この他にも、実施例４と実施例５との比較からわかるように、低誘電率樹脂組成物中に硬質の架橋剤が多く含まれている場合、当該低誘電率樹脂組成物から製造された回路基板の弾性率は比較的大きい。即ち、回路基板の硬度は大きい。実施例４と実施例６との比較からわかるように、低誘電率樹脂組成物中に軟質の架橋剤が多く含まれている時、当該低誘電率樹脂組成物から製造された回路基板の弾性率は比較的小さい。即ち、回路基板の硬度は小さい。したがって、低誘電率樹脂組成物中に添加されている硬質の架橋剤と軟質の架橋剤の含有量を調整することによって、この低誘電率樹脂組成物から製造された回路基板の柔らかさ、硬さを調整できる。
【００７２】
本発明の低誘電率樹脂組成物の比誘電率Ｄｋは２．４より低い。また、誘電損失Ｄｆは０．００４より低いため、この低誘電率樹脂組成物から製造された回路基板の接着層は、比較的低い比誘電率を有し、ひいては、当該回路基板に高周波及び高速デジタル化された信号伝送をもたせる。また、前記低誘電率樹脂組成物は酸無水物を含む低誘電率樹脂を採用し、この酸無水物を含む低誘電率樹脂は、酸無水物を含まない低誘電率樹脂と比較して有機溶剤中によく溶解し、且つ酸無水物を含む低誘電率樹脂は、酸無水物を含まない低誘電率樹脂と比較して、その他の有機成分との相溶性に優れ、比誘電率が低く、性能に優れた低誘電率樹脂組成物を取得するのを助ける。また、エポキシ樹脂中のエポキシ基は、酸無水物を含む低誘電率樹脂中の酸無水物と、硬質の架橋剤中の活性エステル基と、軟質の架橋剤中の酸無水物と架橋結合できる。したがって、酸無水物を含む低誘電率樹脂、硬質の架橋剤及び軟質の架橋剤は結合されて、耐熱性が比較的高く、且つ結合密度も比較的高い低誘電率樹脂組成物を得ることができる。また、低誘電率樹脂組成物から製造された回路基板の接着層は良好な耐熱性を有し、回路基板の耐熱性に対する要求を満たすことができる。
【００７３】
また、当業者にとって、本発明の技術構想に基づいて、その他各種の対応する変更及び変形を構想でき、これら全ての変更及び変形は、本発明の特許の請求項が保護する範囲に属する。
【符号の説明】
【００７４】
１０  離型膜
２０  樹脂層
１００  フィルム
２００  回路基板
２０１  本体
２０２  接着層
【図１】
2018154823.tif 000014
【図２】
2018154823.tif 000015
【外国語明細書】
2018154823000001.pdf